(57)【特許請求の範囲】
【請求項１】
機器収納箱のパネル取り付け部位端部に雌ねじを有するパネル固定片を突設すると共に、パネルの前記雌ねじ対応位置にねじ挿通孔を設け、該ねじ挿通孔を介してパネルを機器収納箱にねじ止め固定し、該パネルに機器を装着して収納する機器収納箱であって、
パネルは少なくとも前記パネル固定片の近傍となる端部に、後方へ折り曲げて形成した側板を具備し、前記パネル固定片が該側板及びパネル背面の双方に当接可能であって、少なくとも前記パネルの上端を固定する前記パネル固定片に上方へ突出する突起を設ける一方、前記側板の前記パネル固定片が当接する当接部位に、前記突起が嵌入可能な孔を設け、前記突起の前記孔への嵌入により機器収納箱の所定位置に配置したパネルを保持可能としたことを特徴とする機器収納箱。
【発明の詳細な説明】
【０００１】
【発明の属する技術分野】
本発明は、機器収納箱内にパネルを設け、そのパネル上に機器を装着する構造の機器収納箱に関し、詳しくはパネルの取付構造の改良に関する。
【０００２】
【従来の技術】
機器収納箱内に例えば遮断器や機器制御スイッチ、或いはタイマ等の機器を装着するために箱本体内に設置するパネルは、従来、図６（ａ）の要部斜視図、及び図６（ｂ）の機器収納箱縦断面図に示すように、箱本体１１側に雌ねじ１３を設けた当接面１２ａを突設したパネル固定片１２を少なくともパネルの４隅に対応する位置に設け、その固定片１２に対応したパネル１５の４隅等にねじ挿通孔１４を穿設し、小ねじ１６をパネル前面から挿通してパネル固定片１２に螺入してパネル１５を固定していた。これは、取り付けが汎用工具であるドライバーで行うことができ容易であるし、パネル表面には小ねじ１６の頭部が露出するだけで、突起部が小さく、電線等を傷つけることがないので、広く採用されていた。
【０００３】
【発明が解決しようとする課題】
しかし、パネル１５を取り付ける箱本体１１が壁面等に設置されている場合、パネル１５を取り付ける際、パネル１５が外れないように、また取付位置がずれないようにパネル１５を保持しながらねじ締め作業を行わなければならない。特に、パネル１５に多くの機器が取り付けられている場合、パネル１５は重くなるし重量バランスも悪くなるため、ネジ締め作業をする作業者以外にパネル１５を保持する作業者が必要であり、取り付け作業が面倒なものとなっていた。
そこで、本発明は上記問題点に鑑み、機器収納箱が壁面に取り付けられた状態であっても、作業者が一人で容易にパネルを装着することが可能な機器収納箱を提供することを課題とする。
【０００４】
【課題を解決するための手段】
上記課題を解決するため、請求項１の発明は、機器収納箱のパネル取り付け部位端部に雌ねじを有するパネル固定片を突設すると共に、パネルの前記雌ねじ対応位置にねじ挿通孔を設け、該ねじ挿通孔を介してパネルを機器収納箱にねじ止め固定し、該パネルに機器を装着して収納する機器収納箱であって、パネルは少なくとも前記パネル固定片の近傍となる端部に、後方へ折り曲げて形成した側板を具備し、前記パネル固定片が該側板及びパネル背面の双方に当接可能であって、少なくとも前記パネルの上端を固定する前記パネル固定片に上方へ突出する突起を設ける一方、前記側板の前記パネル固定片が当接する当接部位に、前記突起が嵌入可能な孔を設け、前記突起の前記孔への嵌入により機器収納箱の所定位置に配置したパネルを保持可能としたことを特徴とする。
【０００６】
【発明の実施の形態】
以下、本発明を具体化した実施の形態を、図面に基づいて詳細に説明する。
図１は本発明の要部である機器収納箱のパネル取付部を示し、パネル上端部の拡大斜視図を示している。図において、２は機器収納箱の箱本体底部に固着されたパネル固定片、３はパネル、４はパネルを固定するねじである。
【０００７】
パネル固定片２は、１枚の金属板を凸形状に折り曲げて形成され、中央の突起部をパネル当接面２ｂとし、その左右に箱本体１に固着するための固着片２ａが形成されている。そして、パネル当接面２ｂには雌ねじ５が設けられ、パネル当接面２ｂの左右に形成された立ち上がり辺２ｃの端部には半円状の突起６がパネル当接面の側方へ向けて形成されている。
【０００８】
このパネル固定片２は、箱本体１を壁面に取り付けた際にパネルの左右上端となる２箇所に固着されている。その際、突起６が上向きに配置されるよう固着されている。また、パネル下端の左右２箇所にもパネル固定片は設けられている（図示せず）が、上端部以外のパネル固定片は突起のないものが固着されている。
尚、パネル固定片の設置位置はパネルの４隅に限定するものではなく、パネルの大きさに応じて、４隅以外に設置しても良い。また、パネル固定片の箱本体への固着は、溶接やねじ止めで行えばよい。
【０００９】
パネル３は、略四角形の金属板から成り、周囲４辺には一定幅で後方へ折り曲げて形成した側板３ａを有している。そして、パネル３を箱本体１の所定位置に配置した際にパネル固定片２の雌ねじ５に対応する位置にねじ挿通孔７が形成され、側板３ａのうちパネル上辺に形成された上側板９の端部となるパネル固定片２当接位置、正確にはパネル固定片２の突起６の対応する位置には孔８が穿設されている。この孔８は突起６を嵌入して、パネル３を配置した際に位置決め保持させるためのものである。
【００１０】
ここでは、端部を切り欠いて側板３ａを短くし、左右に設けた突起６のうちの一方のみに孔８が係止するように形成されているが、パネル隅部まで側板３ａを伸ばして双方の突起６に係止するようにしても良い。
尚、側板３ａは、パネル３の周囲全域に設けずパネル固定片２に当接する部位のみに形成しても良いが、周囲４辺の全域に設ければパネル強度を上げるのに役立つ。また、突起６は一つのパネル固定片に少なくとも１個設ければよい。
【００１１】
このように、係止手段としてパネル固定片２に突起６を設け、上側板９に孔８を設けることで、パネル３を機器収納箱の所定位置に配置した状態でその状態を保持させることができるので仮止め状態を維持することができる。従って、別途仮止め作業が必要ない。そのため、一人の作業者により容易にパネルの配置作業及び装着作業即ちねじ止め作業をすることができる。
また、パネル３を外す際に、パネル３を保持しなくてもパネルが落下するようなこともなくなるし、孔８に突起６を嵌入させる簡易な構成で仮止め機構は形成されるため安価に構成できる。
【００１２】
図２はパネルの取り付け手順を示している。図に基づいて説明すると、先ず図２（ａ）に示すように、パネル３の上側板９を箱本体１の底板上部の左右に設けた２個のパネル固定片２に載置する。この載置操作の際に、図２（ｂ）に示すようにパネル固定片２の突起６に、側板３ａに設けた孔８を係合させ、孔８に突起６を嵌入してパネル３を係止保持させ。この操作で、作業者がパネル３を保持し続けなくとも、図２（ｃ）に示すように、仮止めした状態となりこの状態を維持することができる。そして、図２（ｄ）に示すように前方からねじ４をパネルのねじ挿通孔７を介してパネル固定片２の雌ねじ５に螺入し、パネル３を箱本体１にねじ止め固定する。
【００１３】
このように、パネル３を所定位置に配置操作して上部のパネル固定片２に側板３ａを載置するだけで、パネルは仮止めできる。また、パネル３に機器が装着された状態であっても、孔８と突起６を嵌合させるので仮止め状態を保持することが可能であり、一人の作業者によりパネル載置操作とねじ止め装着操作を容易に行うことができる。
【００１４】
尚、突起６は半円形である必要はなく、他の形状、例えば図３に示すように三角形であっても良く、その場合対応する孔形状も図示するように例えば四角形としても良いし、孔８は貫通孔でなく凹部であっても良い。なお、図４は本発明の参考例を示しており、パネル固定片２に一方の係止手段の孔８を設け、パネル３の上側板９にその孔に係合する他方の係止手段として突起６を折り曲げて形成したものである。
【００１５】
図５は、本発明の他の形態を示す機器収納箱の縦断面説明図であり、パネル固定片２をパネル４隅に設け、全てのパネル固定片を突起を有するものを使用している。パネル３下端部を固定するパネル固定片２は下向きに突起６を設けてある。そして、上部、下部の突起６、６間の距離Ａをパネル３の上側板９、下側板３ａ間の内寸法Ｂより僅かに小さくしてある。
このように、パネル下部を固定するパネル固定片２の取り付け位置をパネル下端部から遊びを持たせた位置に設けることで、突起６を設けたパネル固定片２を下端部に使用しても、パネルの装着操作に支障をきたすことが無く、容易に装着でき、上記実施の形態と同様に仮止め状態を形成できる。そして、こうすることで取り付けるパネル固定片を１種類のみとすることができ、部材の種類を削減できるし、製造工程や箱体取り付け作業時に箱体の上下を気にする必要も無くなる。
【００１６】
【発明の効果】
以上詳述したように、請求項１の発明によれば、パネルを機器収納箱の所定位置に配置した状態で即仮止め状態とすることができるので、仮止め作業を別途必要としない。そのため、一人の作業者によりパネルの配置作業及び装着作業即ちねじ止め作業を容易に行うことができる。
また、パネルを外す際に、パネルを保持しなくてもパネルが落下するようなこともなく、作業者への負担が少ない。
さらに、パネルの側板に設けられた孔にパネル固定片に設けられた突起を嵌入させる簡易な構成でパネルを保持できるため、該保持に係る作業が容易であるし、保持に係る構成（すなわち突起及び孔）も安価に形成できる。
【図面の簡単な説明】
【図１】  本発明の実施の形態の一例を示す機器収納箱の要部斜視図である。
【図２】  図１のパネルの取り付け手順を説明する図である。
【図３】  パネル取付部位の他の実施例を示す要部斜視図である。
【図４】  パネル取付部位の参考例を示す要部斜視図である。
【図５】  本発明の他の実施形態を示す機器収納箱の縦断面説明図である。
【図６】  従来の機器収納箱を示し、（ａ）はパネル取付部の斜視図、（ｂ）はパネル着脱操作の様子を示す縦断面説明図である。
【符号の説明】
１・・箱本体、２・・パネル固定片、２ａ・・固着辺、２ｂ・・パネル当接面、２ｃ・・立ち上がり辺、３・・パネル、３ａ・・側板、４・・ねじ、５・・雌ねじ、６・・突起、７・・ねじ挿通孔、８・・孔、９・・上側板。
【図１】
0004558923.tif 000002
【図２】
0004558923.tif 000003
【図３】
0004558923.tif 000004
【図４】
0004558923.tif 000005
【図５】
0004558923.tif 000006
【図６】
0004558923.tif 000007